(57)【要約】蝶番式に接続された第１（８）と第２の表面（６）から成るカバー（４）と、第１の表面の内側に接続されるシート材（１２）とから成るシート品を提供し、第２の表面がポケット（１４）から成り、カバーが、第１の表面の少なくとも一部が、脆弱ラインでカバーから分離することで着脱可能であるような脆弱（９）ラインから成り、シート品が、ポケットを閉じる手段から成る。
2005522344.tif 000002
【特許請求の範囲】
【請求項１】
蝶番式に接続された第１と第２の表面とから成るカバーと、第１の表面の内側に接続されるシート材とから成るシート品であって、第２の表面が１個のポケットから成り、第１の表面の少なくとも一部が、脆弱ラインでのカバーの分離により着脱可能なように、脆弱ラインからカバーが成り、シート品がポケットを安全に閉じる手段から成るシート品。
【請求項２】
シート材を含む、第１の表面の一部が、脆弱ラインで取り外し可能である、請求項１に記載のシート品。
【請求項３】
シート材が、第１の組の折り目から成る、請求項１または２に記載のシート品。
【請求項４】
第１の組の折り目が蛇腹式折り目である、請求項３に記載のシート品。
【請求項５】
シート材が、第１の組の折り目を横断する第２の組の折り目からさらに成る、請求項３または４に記載のシート品。
【請求項６】
第２の組の折り目が蛇腹式折り目である、請求項５に記載のシート品。
【請求項７】
シート材に、その一部で剛性部を設けた、請求項１乃至６のいずれかに記載のシート品。
【請求項８】
シート材が、シートの１個の隅で、シートの一部で第１の表面に接続され、該一部がシートの折り目か縁で定義される、請求項１乃至７のいずれかに記載のシート品。
【請求項９】
剛性部が設けられた部分が、シート材の別の隅にあり、シートの折り目か縁で定義される、請求項７または８に記載のシート品。
【請求項１０】
ブックレットを形成するよう接続された複数個のシートから成る、請求項１、２、７、９のいずれかに記載のシート品。
【請求項１１】
使用時に、少なくともシート材の一部が、脆弱ラインか指示手段で分離可能で、シート品のポケット内に挿入できるよう、シート材が脆弱ラインまたは指示手段から成る、請求項１乃至１０のいずれかに記載のシート品。
【請求項１２】
脆弱ラインがミシン目である、請求項１１に記載のシート品。
【請求項１３】
第１と第２の表面が、内部にある１個の折り目から成る単一の表面から形成され、該折り目が、第１と第２の表面の間に蝶番式の接続を形成する、請求項１乃至１２のいずれかに記載のシート品。
【請求項１４】
ポケットが、それ自体の上に折り畳まれた第２の表面の一部から形成され、ポケットを形成するよう、第２の表面に封止される、請求項１乃至１３のいずれかに記載のシート品。
【請求項１５】
開口部が形成されるよう、ポケットが、カバーの第２の表面に接続される別個の表面から形成される、請求項１乃至１３のいずれかに記載のシート品。
【請求項１６】
ポケット内部に自由な縁を持たないよう、ポケットが形成される、請求項１乃至１５のいずれかに記載のシート品。
【請求項１７】
ポケットが第２の表面の内側に接続される、請求項１乃至１６のいずれかに記載のシート
品。
【請求項１８】
ポケットの開口部が蝶番式の接続に面する、請求項１乃至１７のいずれかに記載のシート品。
【請求項１９】
ポケットを堅固に閉じる手段がポケット封止手段から成り、それにより、封止されたポケットを提供するべくポケットが封止可能である、請求項１乃至１８のいずれかに記載のシート品。
【請求項２０】
ポケットを堅固に閉じる手段が、ポケットの開口部上にカバー表面を形成するよう移動可能であるカバーの一部から成る、請求項１乃至１９のいずれかに記載のシート品。
【請求項２１】
カバーの可動部が、ポケットを封止するため、ポケット封止手段から成る、請求項２０に記載のシート品。
【請求項２２】
封止手段が、望まれるまで、カバーへの接着片の接着を防止する着脱式カバーから成る接着片から成る、請求項１９に記載のシート品。
【請求項２３】
封止手段が、濡れると粘着性になる材料片から成る、請求項１９に記載のシート品。
【請求項２４】
カバーの脆弱ラインが、第１と第２の表面の間の蝶番式接続部に設けられる、請求項１乃至２３のいずれかに記載のシート品。
【請求項２５】
カバーの脆弱ラインが第１の表面に設けられる、請求項１乃至２３のいずれかに記載のシート品。
【請求項２６】
第１の表面の一部が脆弱ラインで取り外された場合に、ポケットの開口部上へカバー表面をもたらすべく、第１の表面の残りの部分が蝶番接続部で移動可能であるように、第１の表面の脆弱ラインが向いている、請求項２５に記載のシート品。
【請求項２７】
ユーザのポケットまたは財布に保持できるよう、シート品が実質的にクレジットカードのサイズである、請求項１乃至２６のいずれかに記載のシート品。
【請求項２８】
シート材の上の情報が切り出し部を通して見えるよう、第１の表面が、その上にシート材が接続され得る切り出し部から成る、請求項１乃至２７のいずれかに記載のシート品。
【請求項２９】
実質的に、添付図面を参照して本願に説明されるとおりのシート品。
【発明の詳細な説明】
【技術分野】
【０００１】
本発明はシート品に関する。
【背景技術】
【０００２】
間にミシン目のラインを有する第１の部分と第２の部分とから成り、第１の部分が、シート品の受け手によって保持される情報を含み、第２の部分が、ミシン目を裂断することで分離されるよう配され、次に、一般的に、受け手が第２の部分に個人情報を追加した後に、第２の部分が、シート品の送り手に返送されるシート品を提供することが知られている。
【０００３】
情報がユーザによって記録され、送り手に郵送で返送されることを要求するシート品で、シート品の一部がユーザによって保持され得るシート品を提供することの１つの利点は、ユーザの参加効果により、情報を送り手に郵送で返送することを促進する点にある。第２の部分は、別個の封筒内におおむね配されるか、折り畳まれ、ユーザによって後で封止されるそれ自体の封筒内に成型される特定のシート品内に配されなければならない。前者の例では、別個の封筒を提供し、第２の部分を挿入する必要が時間がかかり、別個の封筒が必ずしも手近にあるわけではなく、ユーザは、多くの場合で、別個の封筒のコストを負う。後者の場合、第２の部分を折り畳み、接着する行為がやはり時間がかかり、その結果得られる封筒が薄いシートで、別個の封筒で第２の部分を収納する場合よりも安全でなくなる。
【０００４】
前カバーと後カバーを提供するよう折り返される第１と第２の表面を有するカードカバーから成り、前記カバーの一方の内側に形成されるポケットを含むシート品を提供することが知られている。かかる品目は、前カバーと後カバーによって囲まれるブックレットを提供するため、カバーの折り目内に糊付けされる複数個のシートから成ることも知られている。この種のシート品の例が、特許文献１、特許文献２に記載される。この種のシート品は、シート品の残りが第三者に郵送されることになっている場合、シート品のいずれかの部分上に情報を保持するため、前記部分の除去を可能にせず、郵送されることになっているシート品は、収納の前に１個の別個の封筒内に収納される必要がある。
【特許文献１】米国特許出願公開第６１２０２２８号
【特許文献２】米国特許出願公開第６０８９６０８号
【発明の開示】
【発明が解決しようとする課題】
【０００５】
したがって、本発明の好ましい実施例の目的は、上記に明白に開示されているかどうかにかかわらず、先行技術の少なくとも１個の問題を克服または軽減することにある。
【課題を解決するための手段】
【０００６】
本発明によると、蝶番式に接続された第１と第２の表面から成るカバーと、第１の表面の内側に接続されるシート材とから成るシート品が提供され、第２の表面がポケットから成り、カバーが、第１の表面の少なくとも一部が、脆弱ラインでカバーから分離することで着脱可能であるような脆弱ラインから成り、シート品が、ポケットを安全に閉じる手段から成る。
【０００７】
シート材を含む、第１の表面の一部が、脆弱ラインで着脱可能であることが適切である。
シート材は、第１の組の折り目から成ることが好ましい。第１の組の折り目は蛇腹式折
り目であることが適切である。
【０００８】
シート材は第１の組の折り目を横断する第２の組の折り目からさらに成ることが適切である。第２の組の折り目は蛇腹式折り目であることが適切である。
シート材には、その一部に剛性部を設けてあることが適切である。
【０００９】
シート材は、シートの１つの隅で、シートの一部で第１の表面に接続され、前記部分がシートの折り目または縁で定義されることが適切である。
剛性部が設けられた部分は、シート材の別の隅にあり、シートの折り目または縁で定義されることが好ましい。
【００１０】
別の実施例において、シート材は、ブックレットを形成するよう接続された複数個のシートから成ってもよい。
シート材は、ブックレットを形成するよう接続され、少なくとも１個のシートが第１の組の折り目、好ましくは蛇腹式折り目と、蛇腹式折り目でもよい好ましくは第２の組の折り目とから成る複数個のシートから成ってもよい。
【００１１】
シート材は、欧州特許第２８８４７２Ｂ号、欧州特許第７２０４２Ｂ号、国際特許出願公開９２／１０８２号、欧州特許第５２９０３７Ｂ号、英国特許題２２６２４７５Ｂ号に記載されるシート材でもよい。
【００１２】
シート材は、シート材の少なくとも一部が、脆弱ラインまたは指示手段において分離され得、ポケット内に挿入され得るよう、脆弱ラインまたは指示手段から成ることが適切である。
【００１３】
脆弱ラインはミシン目であることが好ましい。
指示手段は、色付きの指示ラインから成ることが適切である。
第１と第２の表面は、内部にある折り目から成る単一の表面から形成することが好ましく、折り目が第１と第２の表面の間に蝶番式の接続を形成する。
【００１４】
あるいは、第１と第２の表面は、たとえば糊付け、縫込み、ステープル止め、バインディングなどによって蝶番式に接続される別個の表面から成ってもよい。
ポケットを、それ自体の上に折り畳まれる第２の表面の１部から形成し、ポケットを形成するために、第２の表面に封止することが好ましい。ポケットは、糊付け、縫込み、ステープル止め、バインディングなどで第２の表面に封止されることが適切である。
【００１５】
あるいは、開口部が形成されるように、ポケットが、カバーの第２の表面に接続された１個の別個の表面から形成されてもよい。別個の表面は、糊付け、縫込み、ステープル止め、バインディングなどのいかなる適切な手段によっても接続され得る。
【００１６】
ポケットは、第２の表面の内側に取り付けられた１個の別個の独立したポケットから成ってもよい。別個のポケットは、糊付け、縫込み、ステープル止め、バインディングなどによって取り付けられることが可能である。
【００１７】
ポケットは、ポケット内部で自由な縁がないように形成されることが適切である。
ポケット開口部の縁は、ユーザが、ポケット内に収納されたシート品をより簡単に把持できるよう、凹部または切り出し部から成ってもよい。
【００１８】
ポケットは、ポケットからのシート品の偶発的な排出を遅らせるが、ポケットからの意図的な取り出しは可能にする手段から成ってもよい。
ポケットは、第２の表面の外側に接続されてもよいが、第２の表面の内側に接続されることが好ましい。
【００１９】
ポケットは、ポケットの開口部が、第１と第２の表面の間の蝶番式接続を横断するか、垂直であるか、そこから離れるように面するように向けられていてもよいが、ポケットの開口部が蝶番式接続に面していることが好ましい。
【００２０】
ポケットは、複数個のポケットの部分に分割してもよく、各部分は、１個の開口部を有する定義された空洞から成る。各ポケットの部分の開口部は、カバーの第１と第２の表面の間の蝶番式接続に面していることが好ましい。
複数のポケットが存在していてもよい。
【００２１】
ポケットを堅固に閉じる手段は、それによってポケットが、封止されたポケットを提供するべく封止可能である、ポケット封止手段から成ることが好ましい。
ポケットを堅固に閉じる手段は、ポケットの開口部上に被層表面を形成するべく移動可能なカバーの一部から成ることが適切である。
【００２２】
カバーの可動部は、ポケットを封止するため、ポケット封止手段から成ることが適切である。かくして、封止されたポケットが封止された封筒を形成できる。
封止手段は、望ましいときまで、カバーへの接着片の接着を防止する着脱式のカバーから成る接着片から成ることが好ましい。あるいは、封止手段は、たとえば、既知の封筒や切手で見られるような粘剤などの、濡れると粘着性になる材料片から成ってもよい。
【００２３】
カバーの脆弱ラインは、第１と第２の表面の間の蝶番式接続部に設けることができる。
カバーの脆弱ラインは、第１の表面内に設けることが好ましい。
第１の表面内の脆弱ラインは、第１の表面の一部が脆弱ラインで取り外されると、ポケットの開口部上に被層表面がもたらすべく、第１の表面の残りの部分が、蝶番接続部で移動可能となる向きにあることが好ましい。
【００２４】
カバーは、使用時にシート品をリングバインダ、ファイロファックスなどに接続するよう使用できる孔から成ってもよい。
シート品は、ユーザのポケットか財布に保持され得るよう、実質的にクレジットカードのサイズであることが好ましいが、シート材は、種々の寸法のシート材を収容するようクレジットカードより大きくても小さくてもよい。
【００２５】
シート材上の情報が、切り出し部を通して見えるよう、第１の面は、シート材がその上に接続され得る切り出し部から成ってもよい。
【発明を実施するための最良の形態】
【００２６】
まず図１Ａと２を参照すると、本発明のシート品（２）は、同一の材料片から形成され、折り目（１０）によってその間が蝶番式に接続される第１の表面（８）と第２の表面（６）とから成るカバー（４）から成る。
【００２７】
第１の表面（８）は、折り目のライン（１０）に平行に進むミシン目（９）のラインの形状の脆弱ラインを、第１の表面（８）の幅全体にそって含み、それによって、第１の表面（８）を、折り目ライン（１０）を介して、カバー（４）に常に接続される第１の部分（１３）と、ミシン目ライン（９）を裂断することによって、第１の表面（８）から取り外され得る第２の部分（１５）とに分割する。第１の表面（８）は、蛇腹式折り畳みシート（１２）の形態で、シート材に接続されている。蛇腹式折り畳みシート（１２）は、第１の表面（８）の第２の部分（１５）に接続される。
【００２８】
カバー（４）の第２の表面（６）は、第２の表面（６）内側に形成されたポケット（１４）から成る。ポケットの開口部（１８）は、第１と第２の表面の間の折り目（１０）に面する。ポケット（１４）は、第２の表面（６）の一部上に折り畳み、折り畳まれたポケットカバー（１６）の側辺（１７）と（１９）を第２の表面（６）に糊付けして、ポケット（１４）を形成することで形成されるポケットカバー（１６）から成る。本構成に置いて、ポケットの開口部（１８）は、第１の表面（８）と第２の表面（６）の間の折り目（１０）に向かって面する。開口部（１８）はサムカット（２０）も含む。第２の表面（６）は、第２の表面（６）の反対側の縁でカバー（４）から折り目ライン（１０）まで伸びる粘着性固定タブ（２１）からも成る。
【００２９】
図２を参照し、第１の表面（８）の第１の部分（１３）上には、ミシン目ライン（９）に隣接して接着片（１１）が配される。接着片（１１）は、接着片（１１）の接着表面を与えるために、ユーザにより取り外され得る着脱式シリコーン製被層ペーパー（図示せず）を含む。第１の部分（１３）と接着片（１１）は、第２の部分（１５）が取り外された際に、ポケット（１４）を堅固に閉じ、封止する手段をなす。
【００３０】
次に図１Ｂを参照する。蛇腹式折り畳みシート（１２）は、５個の蛇腹式折り目（２２）から成る第１の組と、折り目（２２）に垂直な、２個の蛇腹式折り目（２４）から成る第２の組とから成る。かくして、シート材（１２）は、６個の列と３個の行に分割される。シート（１２）の最も外側の隅の部分（２６）は、カバー（４）の第１の表面（８）の第２の部分（１５）に接続され、折り畳まれたシート材（１２）が、カバー（４）の第１の表面（８）の外周内にあるように、シート材（１２）が折り目（２２）と（２４）で折り畳まれる。
【００３１】
シート品（２）の使用を、図３Ａ、３Ｂ、４を参照して以下に説明する。使用時、第１（８）と第２（６）の表面が平行で、突合せ状態になるよう、シート品は、折り目ライン（１０）で折り畳まれる。次に、第１（８）と第２（６）の表面がたがいに堅固に保持されることを確実にするため、第２の表面（６）の固定タブ（２１）が、第１の表面（８）の外側に封止される。次に、第１の表面（８）の第２の部分（１５）の外側に、ユーザの氏名と住所が示された状態で、シート品（２）は、郵送でユーザに送付される。
【００３２】
次に、ユーザは、固定タブ（２１）を破って、第１（８）と第２（６）の表面を開け、次に、折り目ライン（１０）でシート品（２）を開く。
次に、ミシン目ライン（９）にそって、第２の部分（１５）を裂断することで、第１の表面（８）の第２の部分（１５）がカバー（４）から取り外される。
【００３３】
次に、ユーザが、実質的に平面のシート材（１２）でプレゼントであるよう、シート品（１２）は、第１（２２）と第２（２４）の組の蛇腹式折り目で開かれる。次に、シート材（１２）の第１の部分（２５）が、ミシン目を設けた蛇腹式折り目（２８）にそって取り外される。シート品（１２）の第１の部分（２５）は、たとえば情報を挿入するための、ユーザのためのスペースを含むことがある。
【００３４】
シート品（１２）の第２の部分（２７）は、ユーザにより保持されるよう、カバー（４）の第１の表面（８）の第２の部分（１５）に接続されたままである。シート材（１２）の第２の部分（２７）は、たとえばユーザが見る、および後で参照するために保管する必要が生じることがある、書かれたあるいは印刷された情報から成ることがある。次に、シート材（１２）の第１の部分（２５）が、残りの蛇腹式折り目（２２）と（２４）で折り畳まれ、カバー（４）の第２の表面（６）上のポケット（１４）内に収納される。
【００３５】
次に、シリコーン製カバーペーパー（図示せず）が、カバー（４）の折り目ライン（１０）で第２の表面（６）に一体に接続されたままである、第１の表面の第１の部分上にある接着片１１から取り外される。次に、第１の表面（８）の第１の部分（１３）が折り目ライン（１０）で折り畳まれ、ポケットを封止し、図４に図示されるように、ポケット（１４）内にシート材（１２）の第１の部分（２５）を堅固に保持するため、接着片が、ポケット（１４）の前面（１６）上に押付けられる。ポケット（１４）の前面（１６）は、たとえば、ユーザの書かれたまたは印刷された詳細を含む、シート材（１２）の第１の部分（２５）が送られることが望まれる第三者の氏名と住所を含むことができる。次に、封止されたポケット（１４）が、通常の手段にて第三者に郵送され得る。
【００３６】
本発明のシート品（２）の別の実施例において、第１および／または第２の表面（６）は、シート品（２）または第１および／または第２の表面が、たとえばリングバインダまたはファイロファックスに挿入されることを可能にする、その内側に形成された孔を含んでもよい。シート材（１２）は、隅部（２６）上に、ユーザの氏名と住所などの印刷されたあるいは書かれた情報を含んでもよく、第１の表面（８）の第２の部分（１５）は、郵送での手助けとなるよう、接続されたシート材の隅部（２６）上の印刷された情報が見えるようになっている切り出し部を含んでもよい。第１の表面（８）の第２の部分（１５）の切り出し部は、透明のビニール材料などの透明のカバーを含んでもよい。
【００３７】
シート材（１２）は、ブックレット、または、折り畳まれた、蛇腹式に折り畳まれた、および／またはブックレット型のシート材の組み合わせを形成するよう接続される、複数個のシートから成ってもよい。別の実施例において、シート品（２）は、それぞれが定義された空洞と開口部を有する別個の定義されたポケット部に分割されるポケット（１４）を含んでもよい。ポケット部の開口部は、カバー（４）の折り目ライン（１０）に向かうなど、すべて同じ方向に面していてもよい。あるいは、複数のポケット（１４）があり、それぞれのポケット（１４）が、シート品（２）の他のポケット（１４）と同じ方向に向いている、あるいは向いていない開口部を有する。
【００３８】
本発明の別の実施例においては、折り目ライン（１０）の反対側で、第２の表面（６）の縁にそって、間隔をあけて、カバー（４）から伸びる複数個の固定タブがあってもよい。さらに別の実施例では、折り目ライン（１０）と反対側の第２の表面の縁の全長にそって伸びる１個の連続した固定タブがあってもよい。
【００３９】
読み手の注意は、本願に関連して本明細書と同時またはそれ以前に出願され、本明細書の公衆の便覧のために公開されるすべての書類と文書に向けられ、かかるすべての書類と文書の内容は、参照により本願に組み込まれる。
【００４０】
本明細書（付属の特許請求の範囲、要約書、図面を含む）に開示されるすべての特徴および／または開示される方法またはプロセスのすべての工程は、かかる特徴および／または工程の少なくともいくつかがたがいに排他的である組み合わせを除き、いかなる組み合わせに組み合わせてもよい。
本明細書（付属の特許請求の範囲、要約書、図面を含む）に開示される各特徴は、他に特に明記がない限り、同じ、同等、または同様の目的を完遂する別の特徴によって置き換えられてもよい。かくして、他に特に明記がない限り、開示される各特徴は、一連の包括的な同等または同様の特徴のほんの一例である。
【００４１】
本発明は、上記実施例の詳細に制限されることはない。本発明は、本明細書（付属の特許請求の範囲、要約書、図面を含む）に開示される特徴のいかなる新規のものあるいはいかなる新規の組み合わせ、あるいは開示される方法またはプロセスの工程のいかなる新規のものあるいはいかなる新規の組み合わせにも拡大解釈される。
【図面の簡単な説明】
【００４２】
本発明をよりよく理解するため、また本発明がどのように実施されるかを示すため、添付図面を参照し、例示を目的として、実施例が説明される。
【図１Ａ】本発明のシート品の好ましい一実施例の平面図。
【図１Ｂ】図１Ａのシート品の分離されたのシート材の、開かれた形状の図。
【図２】図１Ａと１Ｂのシート材が接続されていない、図１Ａのシート品のカバーの平面図。
【図３Ａ】カバーがミシン目のラインにそって、ポケット部分とシート材部分に分離された、図１Ａのシート品の平面図。
【図３Ｂ】カバーがミシン目のラインにそって、ポケット部分とシート材部分に分離された、図１Ａのシート品の平面図。
【図４】カバーの第1の表面の残りの部分が、ポケットの開口部を封止した図３Ａのポケット部分の図。
【図１Ａ】
2005522344.tif 000003
【図１Ｂ】
2005522344.tif 000004
【図２】
2005522344.tif 000005
【図３Ａ】
2005522344.tif 000006
【図３Ｂ】
2005522344.tif 000007
【図４】
2005522344.tif 000008
【国際調査報告】
2005522344.tif 000009
2005522344.tif 000010